(57)【要約】  個人の医歴プロフィールの迅速な検索を行うためのシステム及び方法はデータベースに複数の個人のそれぞれについての医歴プロフィールおよび対応する少なくとも１つの生物学的測定特性を維持している。医歴プロフィールは個人の１または多数の生物学的測定特性に基づいてデータベースから検索される。【選択図】図４
2008547091.tif 000002
【特許請求の範囲】
【請求項１】
複数の個人（72、74、76、78）のそれぞれのデータベース（38）中に医歴プロフィール（66、68、70）および対応する少なくとも１つの生物学的測定特性（60、62、64）を維持し、
個人の少なくとも１つの生物学的測定特性（60、62、64）に基づいて前記データベース（38）から医歴プロフィール（66、68、70）を検索するステップを含んでいる個人の医歴プロフィールの迅速な検索を行う方法。
【請求項２】
少なくとも１つの生物学的測定特性に基づいた医歴プロフィールの検索には医歴プロフィールを検索するために多数及び異なる生物学的測定特性が使用される請求項１記載の方法。
【請求項３】
生物学的測定特性の維持では、同一の個人の多数の、異なる生物学的測定特性が維持される請求項１記載の方法。
【請求項４】
さらに、伝記または人口統計データの少なくとも一方を有するデータベースが使用される請求項１記載の方法。
【請求項５】
医歴プロフィールは、個人に現在処方されている薬物名を含んでおり、さらに現在の薬物と提案された薬物との潜在的な薬物相互作用を識別するための医歴の使用を含んでいる請求項１記載の方法。
【請求項６】
データベースに少なくとも１つの生物学的測定特性を維持する処理には生物学的測定特性としてＤＮＡシグナチャの使用が含まれている請求項１記載の方法。
【請求項７】
各複数の個人（72、74、76、78）のそれぞれのデータベース（38）中に保険証券プロフィール及び対応する少なくとも１つの生物学的測定特性（60、62、64）を維持し、
個人の少なくとも１つの生物学的測定特性（60、62、64）に基づいてデータベース（38）から保険証券プロフィールを検索し、
保険証券プロフィールからその個人が保険のカバー範囲を受ける権利を有するか否かを識別するステップを含んでいる個人が保険証券によりカバーされることを迅速に確認する方法。
【請求項８】
少なくとも１つの生物学的測定特性に基づいた保険証券プロフィールの検索には、保険証券プロフィールを検索するために多数の、異なる生物学的測定特性が使用される請求項７記載の方法。
【請求項９】
データベースにおける維持には、データベース中における伝記または人口統計データの維持が含まれている請求項７記載の方法。
【請求項１０】
生物学的測定特性の維持には同一の個人の多数の、異なる生物学的測定特性の維持が含まれている請求項７記載の方法。
【請求項１１】
人間のライフサイクルデータに関するデータを記憶し検索するシステムにおいて、
少なくとも１つのホストコンピュータ（30）を具備し、このホストコンピュータは、
第１のプロセッサ（30a）と、
第１のメモリ（30b）と、
第１のメモリ（30b）との間でデータを転送するための第１の通信インターフェース（32）と、
第１のメモリ（30b）に記憶されている少なくとも１つのデータベース（38）とを具備し、前記データベースは、
個人を特有に識別する生物学的測定特性を記憶するための少なくとも１つの生物学的測定特性エントリ（60、62、64）と、
個人の医歴プロフィールを記憶するための少なくとも１つの医歴プロフィールエントリ（66、68、70）とを含んでおり、前記少なくとも１つの生物学的測定特性エントリは少なくとも１つの医歴プロフィールエントリに関連されているシステム。
【請求項１２】
さらに、伝記特性エントリまたは人口統計特性エントリの少なくとも一方を有している請求項１１記載のシステム。
【請求項１３】
インターフェースはネットワークインターフェースまたは取外し可能な記憶インターフェースの少なくとも一方である請求項１１記載のシステム。
【請求項１４】
インターフェースはインターネットまたはイントラネットの少なくとも一方に通信可能に結合されている請求項１１記載のシステム。
【請求項１５】
さらに、ポータブルな多数の生物学的測定学登録システム（ＭＢＥＳ）（４）を具備し、前記ＭＢＥＳは、
生物学的測定特性を得るための少なくとも１つの生物学的測定読取り装置（20、22、24）と、
第２のメモリ（14b）と、
データを送受信するための第２の通信インターフェース（16）と、
少なくとも１つの生物学的測定読取り装置（20、22、24）と第２のメモリ（14b）と第２の通信インターフェース（16）とに結合されて動作する第２のプロセッサ（14a）とを具備し、
生物学的測定特性が個人から得られるとき、第２のプロセッサ（14a）は生物学的測定特性を第２の通信インターフェース（16）を介して少なくとも１つのホストコンピュータ（30）へ送信し、送信された生物学的測定特性に対応する医歴プロフィールをホストコンピュータ（30）から受信する請求項１１記載のシステム。
【請求項１６】
生物学的測定読取り装置はさらにバーコードスキャナを具備している請求項１５記載のシステム。
【請求項１７】
第１または第２の通信インターフェースの少なくとも一方はインターネットまたはイントラネットの少なくとも一方に結合されている請求項１５記載のシステム。
【請求項１８】
医療サービルと共にビジネスを行う方法において、
各個人を特有に識別する複数の個人（72、74、76、78）の生物学的測定特性（60、62．64）を獲得し、
少なくとも１つのサーバ（30）上に複数の個人のそれぞれの生物学的測定特性（60、62．64）と医歴プロフィール（66、68、70）とを維持し、
複数の個人の各自の生物学的測定特性を各自のそれぞれの医歴プロフィールと相関させ、
その後、複数の個人の少なくとも一人の個人の生物学的測定特性を獲得してその少なくとも一人の個人の医歴プロフィールを検索するステップを含んでいる方法。
【請求項１９】
生物学的測定データを得るための少なくとも１つの生物学的測定読取り装置（20、22、24）と、
メモリ（14b）と、
データを送受信するための通信インターフェース（16）と、
少なくとも１つの生物学的測定読取り装置（20、22、24）とメモリ（14b）と通信インターフェース（16）とに結合されて動作するプロセッサ（14a）と、
メモリ中に記憶されており、プロセッサにより実行されるコードとを具備し、コードによりプロセッサは、
生物学的測定読取り装置に個人の生物学的測定データを集収するように命令し、
通信インターフェースに命令して生物学的測定データをホストコンピュータへ送信させてホストコンピュータから医歴プロフィールを受信させ、前記医歴プロフィールは集収された生物学的測定データに対応しているポータブルな多数の生物学的測定の登録システム（ＭＢＥＳ）。
【発明の詳細な説明】
【技術分野】
【０００１】
本発明は一般的に識別システムに関し、特に生物学的測定、伝記および／または人口統計の識別を使用して個人の医歴の記憶及び検索のためのシステム及び方法に関する。
【背景技術】
【０００２】
患者の医歴は患者の評価および／または治療において医師および／または他の医療関係者にとって非常に貴重である。患者の医歴は例えば患者が特定の薬物に対してアレルギー反応を有するか否か、患者が任意の既知の医療状態、例えば糖尿病、心臓病等を有するか否かをチェックし、患者の任意の個人的な特性、例えば血液型、年齢、身長、体重等、或いは患者の治療に関係する任意の他の情報を識別するために使用されることができる。したがって、患者の診断および／または治療前に患者の完全な医歴をもつことが好ましい。残念ながら、患者の医歴を得るには時間がかかり、結果として医歴は診断および／または治療が必要とされる時点で利用可能ではない可能性がある。
【０００３】
さらに、患者を迅速に識別することが可能ではなく、それ故、医学記録は治療前に検索されることができない。例えば患者が頭部の怪我または他の外傷のために意識不明であるならば、患者は自身の身元を医療関係者へ伝えることができない。したがって、患者が身元証明を携帯していないならば、患者は容易に識別されることができず、それ故、患者の医歴の検索は極めて困難であり、時間がかかる可能性がある。このような状態では、患者の医歴を識別し検索するのに必要な時間は通常、患者が医学的処置を必要とする時間フレームを超える。このような状況では、最適な医学治療は可能ではないであろう。
【０００４】
個人を識別する１つの方法は生物学的測定データによるものである。生物学的測定識別は人または他のエンティティを識別するために１以上の生物的特性を使用するプロセスを記述する。生物学的測定識別は特にある個人特性が実質的に各人に特有であり、詐欺師による再生が難しい。さらに生物学的測定データの記録及び解析は自動化されることができ、したがってコンピュータ制御された電子装置とデジタル記録技術の使用を可能にする。
【０００５】
識別の目的に対する生物学的測定データの使用には特定の生物学的測定要素が各個人に対して実質的に特有であることと、これが容易に測定され、人が識別のために検査されることのできる時間期間にわたって不変であることが必要である。さらに生物学的測定データは誤った識別に対して安全であるように詐欺師による複製が困難でなければならない。個人の識別システムでの使用において今日最も調査されている幾つかの生物学的測定特性には指紋、手または掌の紋および虹彩または網膜の走査が含まれている。
【発明の開示】
【発明が解決しようとする課題】
【０００６】
ここでその内容が参考文献とされ、共通して所有されている米国特許第6,018,739号、第6,317,544号、第6,320,974号明細書は生物学的測定学を使用する識別システムに関する。これらのシステムは特に入国および帰化の文脈で、迅速に個人を識別するために生物学的測定データを使用する。しかしながら前述の参考文献は個人の医歴の記憶及び検索用の多生物学的測定システムを開示していない。
【０００７】
したがって、個人を迅速に識別し、識別された個人の医歴を検索できるシステム及び方法が技術で必要とされている。これを行うことによって、医療の専門家は個人に対して強化された診断および／または治療を行うことができる。
【課題を解決するための手段】
【０００８】
本発明の１特徴は個人の医歴プロフィールの迅速な検索を行う方法に関する。その方法は複数の個人のそれぞれのデータベース中に医歴プロフィールおよび対応する少なくとも１つの生物学的測定特性および対応する少なくとも１つの生物学的測定特性を維持し、個人の少なくとも１つの生物学的測定特性に基づいてデータベースから医歴プロフィールを検索するステップを含んでいる。
【０００９】
本発明の別の特徴は個人が保険証券によりカバーされることを迅速に確認する方法に関する。その方法は複数の各個人のデータベースに保険証券プロフィール及び対応する少なくとも１つの生物学的測定特性を維持し、個人の少なくとも１つの生物学的測定特性に基づいてデータベースから保険証券プロフィールを検索し、保険証券プロフィールから個人が保険のカバー範囲を受ける権利を有するか否かを識別するステップを含んでいる。
【００１０】
本発明の別の特徴は人間のライフサイクルデータに関するデータを記憶し検索するシステムに関する。このシステムは少なくとも１つのホストコンピュータを含んでおり、このホストコンピュータは第１のプロセッサと、第１のメモリと、メモリとの間でデータを転送する第１の通信インターフェースと、第１のメモリに記憶されている少なくとも１つのデータベースとを含み、前記データベースは個人を特有に識別する生物学的測定特性を記憶するための少なくとも１つの生物学的測定特性エントリと、個人の医歴プロフィールを記憶するための少なくとも１つの医歴プロフィールエントリとを含んでおり、少なくとも１つの生物学的測定特性エントリは少なくとも１つの医歴プロフィールエントリに関連されている。
【００１１】
さらに本発明の別の特徴は医療サービスと共にビジネスを行う方法に関する。この方法は各個人を特有に識別する複数の個人の生物学的測定特性を獲得して、少なくとも１つのサーバ上に複数の各個人の生物学的測定特性と医歴プロフィールを維持し、複数の個人の各自の生物学的測定特性を各自のそれぞれの医歴プロフィールと相関させ、その後、複数の個人の少なくとも一人の個人の生物学的測定特性を得て少なくとも一人の個人の医歴プロフィールを検索する処理を含んでいる。
【００１２】
本発明の別の特徴はポータブルな多数の生物学的測定学登録システム（ＭＢＥＳ）に関する。ＭＢＥＳは生物学的測定データを得るための少なくとも１つの生物学的測定読取り装置と、メモリと、データを送受信するための通信インターフェースと、少なくとも１つの生物学的測定読取り装置とメモリと通信インターフェースとに結合されて動作するプロセッサと、メモリ中に記憶されプロセッサにより実行されるコードとを含み、そのコードによりプロセッサは生物学的測定読取り装置に個人の生物学的測定データを集収させ、通信インターフェースに生物学的測定データをホストコンピュータへ送信させてホストコンピュータから医歴プロフィールを受信するよう命令し、前記医歴プロフィールは集められた生物学的測定データに対応している。
【００１３】
前述及び関連する結果を実現するため、本発明は以下十分に説明され、特に特許請求の範囲で指摘されている特徴を含んでいる。以下の説明と添付図面は本発明のある詳細な例示的な実施形態で説明される。しかしながら、これらの実施形態は本発明の原理が使用されることのできる種々の方法を示しているが、多くの方法の一部に過ぎない。本発明のその他の目的、利点、優れた特徴は図面を伴って考えれば、本発明の以下の詳細な説明から明白になるであろう。
【発明を実施するための最良の形態】
【００１４】
本発明のこれら及びさらに別の特徴は添付図面を参照する以下の説明によって明白になるであろう。  
以下は添付図面を参照した本発明を説明する。図において同一の参照符合は全体を通して同じ素子を指している。本発明を明白及び簡明な方法で示すため、図面は必ずしも実寸大ではない。
【００１５】
本発明は生物学的測定、伝記および／または人口統計学的データを使用して、医歴プロフィール、保険データ等の個人のデータを迅速に識別し検索するシステム及び方法に関する。医歴プロフィールはここでは医学患者の経歴のことであり、例えば個人の血液型、現在服用している薬物、以前に服用した薬物、現在の医療状態、以前の医療状態、以前にその個人が受けた医療手順、アレルギー等を含むことができる。認識されるように、個人の治療に関連する可能性のある任意の個人情報は個人の医歴と考えられることができる。保険データは保険の証明、カバーレベル、個人が提出する請求数等を含むことができる。
【００１６】
図１は本発明の１実施形態により個人データを集収し、記憶し、検索するためのシステム２を概略的に示している。システムはデータを記憶し、個人データを各個人に特有の特性に関連付けることにより検索する。特性は例えば指紋データ、虹彩データ、顔面データ、ＤＮＡのデータ等生物学的測定データと、例えば名前、誕生日、社会保険番号等および／または人口統計データを含むことができる。
【００１７】
システムは個人が保険をかけていることを確認し、保険詐欺を防止するために個人の医歴の検索、或いは個人データの迅速な検索が必要とされる任意の他の分野で使用されることができる。例えば医学的な文脈では、患者の治療前に、治療機関は個人がその個人の個人的特徴を集めることにより医療保険を有することを確認できる。その特徴を使用して、個人の保険情報は検索されることができる。集収された特徴はその個人に特有であるので、保険詐欺の確率は最小にされる。さらに、個人の医歴も迅速に検索されることができ、それによって貴重な時間を節約する。これは特に患者が意識不明であるかその他で識別されることができない緊急状態で有効である。本発明のシステムを使用して、個人が自身の身元を伝えることができるか否かにかかわりなく、個人が識別されることができ、医療記録は検索される。
【００１８】
本発明は医学的に緊急の場合について説明され、それにおいて、患者は意識不明でありおよび／または通常の手段、例えば免許証、個人の所有物等により識別されることができない。前述したように、本発明は多くの他の分野及び状態に対して応用を有し、識別不能な個人については任意の方法で限定されることを意図しない。本発明の他の応用には例えば医療治療を要求している個人が請求している実際の人であることの確認（例えば保険詐欺の防止）と、病院内の患者の識別（例えば患者を識別し、患者が保険を有することを確認し、正確な勘定書を患者に与える）と、医療的ミスの防止（例えば薬物の相互作用の防止）が含まれることができる。
【００１９】
システム２は特徴データ及び個人データを集収するのに使用されることのできる１以上のフロントエンド局４を含んでいる。フロントエンド局４はポータブル装置であることができ、またはこれらは特別な区域、例えば病院、保険会社等に位置される固定された装置であることができる。各フロントエンド局４は特徴データを集めるための１以上の入力装置６を含んでいる。以下詳細に説明するように、入力装置６は生物学的測定読取り装置（例えば指紋スキャナ、虹彩スキャナ、顔面スキャナ等）および／または伝記読取り装置（例えばバーコードスキャナ、キーボード等）であることができる。さらに医療記録、保険記録等のような個人データは集められ、各個人の特徴に関連される。
【００２０】
個人データと特徴データが集められた後、そのデータは記憶及び検索のためにバックエンドのサーバ８に送信される。データの記憶において、個人データは特徴データに関連され、それによって特徴データの検索はまた個人データの検索を容易にする。個人データと特徴データは例えばデータベースを介してバックエンドサーバ８に記憶されることができる。バックエンドサーバ８は例えば無線電話ネットワークのような通信媒体10を介して各フロントエンド局４へ通信可能に結合されることができる。単一のバックエンドサーバ８が示されているが、バックエンドサーバ８は分配されたシステムであることができ、多数のバックエンドサーバ８はデータを記憶することが認識されるであろう。
【００２１】
図２は多数の生物学的測定登録局（ＭＢＥＳ）とも呼ばれるフロントエンド生物学的測定局４と人間ライフサイクルの生物学的測定学的に可能にされるＥ−ヘルス記録システム（ＨＬＢＥＥＲＳ）８とも呼ばれるバックエンドサーバ８を詳細に示している。ＭＢＥＳ４はラップトップコンピュータ等のようなポータブルコンピュータ14を含むことができる。通常のように、ポータブルコンピュータはプロセッサ14a、メモリ14b、ディスプレイ14c、ユーザＩ／Ｏ装置14dを含んでいる。プロセッサは例えばＡＭＤ  Ａｔｈｌｏｎ（商標名）６４またはインテルペンティアム（登録商標）ＩＶ（商標名）のような通常のプロセッサであることができる。ここで使用されるメモリは、ランダムアクセスメモリ（ＲＡＭ）、読取り専用メモリ（ＲＯＭ）、磁気記憶媒体（例えばハードドライブ、フロッピー（登録商標）ディスク）、光学的記憶媒体（例えばＤＶＤディスク、ＣＤディスク）等を含むことができる。ディスプレイ14cはＬＣＤディスプレイのような任意の通常のディスプレイであることができ、ユーザＩ／Ｏ装置14dは通常のキーボードおよびマウス、タッチスクリーン等であることができる。認識されるように、デスクトップコンピュータはポータブルではない構造に対してＭＢＥＳ４で使用されることができる。
【００２２】
ネットワークインターフェース16はネットワーク上および／またはインターネット、イントラネット等によって他の装置へ通信チャンネルを提供する。ネットワークインターフェース16は有線または無線のインターフェースであることができる。１実施形態によれば、ネットワークインターフェース16はインターネットゲートウェイに通信可能に結合されたイーサネット（登録商標）インターフェースを含んでおり、それによってインターネットアクセスを行う。別の実施形態によれば、ネットワークインターフェース16は無線のセルラ電話通信インターフェースを含んでいる。
【００２３】
生物学的測定読取り装置６のような幾つかの入力装置６がポータブルコンピュータ14に対して通信可能に結合されている。ここで使用されるとき、生物学的測定読取り装置は生物的有機体から生物学的測定データを読取り、走査し、またはその他の方法で獲得できる装置である。ポータブルコンピュータ14に結合された図示された生物学的測定読取り装置６は虹彩スキャナ20（例えば有限会社沖電気産業によるＩＲＩＳＰＡＳＳ（商標名））、指紋スキャナ22（例えばクロスマッチテクノロジーズ社によるＭＶ５ＴＭ指紋及びバーコード捕捉装置）、顔面走査のためのカメラ24（例えばオリンパスによるデジカム顔面画像捕捉カメラ）を含んでいる。認識されるように、他の生物学的測定読取り装置は本発明の技術的範囲から逸脱せずにＭＢＥＳ４と共に使用されることができる。生物学的測定読取り装置６は通信リンク26を介してポータブルコンピュータ14に結合される。通信リンク26は有線接続（例えばユニバーサルシリアルバスまたはネットワーク接続）または無線(例えば８０２．１１ａ、ｂ、ｇ無線リンク、ブルートゥース等)の通信リンクであることができる。
【００２４】
本発明の１実施形態によれば、ラップトップコンピュータ14、虹彩スキャナ20、指紋スキャナ22、カメラ24、ネットワークインターフェース16は共に電子的に結合され、携帯ケースに収納されていると都合がよい。例えば２ピースの蝶番で結合された頑丈な構造の携帯ケースは種々のコンポーネントを位置に保持するためのカットアウトを有する発泡体テンプレートと、種々のコンポーネントの電力コード接続を受けそこに１２ボルトのＡＣ電力を与えるための電力条帯と、例えば自動車のタバコのライターのような別の電源に条帯を接続するための１２ボルトの拡張コードを有する１２ボルトのＤＣインバータとを備えることができる。電力条帯は好ましくは、電力サージによる損傷から種々のコンポーネントを保護するためサージ抑制装置回路を含んでいる。
【００２５】
本発明の別の実施形態では、前述のポータブルコンピュータ14は図３の（Ａ）と（Ｂ）に示されているように通常は「ランチボックス」ＣＰＵ15として知られているポータブルで実質的に方形の自蔵された装置に収納されることができる。本発明によればランチボックスは主本体15a、前部パネル15b、後部パネル15cを含んでいる。前部及び後部パネルは主本体15aに蝶番で取付けられ、それによってそれぞれ主本体に対して詰込み位置へたたみ込まれるか、主本体から離れた位置に展開されるように広げられる。通常、主本体15aは主コンピュータ処理ボード（図示せず）、ネットワークインターフェース16、ディスプレイスクリーン14cを収納し、前部パネル15bはキーボード14dを収容し、後部パネル15cは虹彩スキャナ20、指紋スキャナ22、カメラ24を収容する。これらの詰込み位置で、前部及び後部パネル15b、15cと主本体15aはポータブルランチボックス15を形成するように結合されている。前部パネル15bが展開されるとき、これは主本体15a上のキーボード14dとディスプレイスクリーン14cを露出する。後部パネル15cが展開されるとき、これは虹彩スキャナ20、指紋スキャナ22、カメラ24を露出する。
【００２６】
ＨＬＢＥＥＲＳ８はシステム２の後段の機能を与える。ＨＬＢＥＥＲＳ８は記憶及び検索管理のための生物学的測定データ、伝記データ、人口統計データの受信を含む種々の機能と、虹彩、指紋、画像整合機能とを提供し１以上のデータベースを有している。これらの機能はＭＢＥＳ４でオペレータにより使用されるのに有効である。データベース機能は生物学的測定データ、伝記データ、人口統計データ、医歴データの記憶及び検索と、このようなデータのメンテナンスを含むことができるがそれに限定されない。
【００２７】
ＨＬＢＥＥＲＳ８はプロセッサ30aとメモリ30bを含むサーバ30を含んでいる。ポータブルコンピュータ14に関して説明したように、プロセッサ30aは例えばＡＭＤ  Ａｔｈｌｏｎ（商標名）６４またはインテルペンティウムＩＶ（商標名）のような通常のプロセッサであることができる。メモリ30bはランダムアクセスメモリ（ＲＡＭ）、読取り専用メモリ（ＲＯＭ）、磁気記憶媒体（例えばハードドライブ、フロッピーディスク）、光学的記憶媒体（例えばＤＶＤディスク、ＣＤディスク）等を含むことができる。サーバは通常のように、複数のソフトウェアクライアントを作動するＵＮＩＸ（登録商標）サーバまたはマイクロソフトウィンドウズ（登録商標）サーバであることができる。
【００２８】
ネットワークインターフェース32はネットワーク上および／またはインターネット、イントラネット等によって他の装置へ通信チャンネルを提供する。ネットワークインターフェース32は有線または無線のインターフェースであることができる。１実施形態によれば、ネットワークインターフェース32はインターネットゲートウェイに通信可能に結合されたイーサネットインターフェースを含んでおり、それによってインターネットアクセスを行う。別の実施形態によれば、ネットワークインターフェース32は無線のセルラ電話通信インターフェースを含んでいる。
【００２９】
サーバ30はまたディスプレイ34とユーザＩ／Ｏ装置36（例えばキーボード、マウス、タッチスクリーン等）を随意選択的に含むことができる。サーバ30のメモリ30bにはデータベース38が存在している。より詳細に以下説明するように、データベース38は各登録された個人についての生物学的測定データ、伝記データおよび／または人口統計データ（集合的に「識別データ」として示される）と個人の医歴とを含んでいる。個人の識別データは個人の医歴と相関され、したがってデータベース38内の個人の識別データの識別は個人の医歴も識別する。
【００３０】
ＭＢＥＳ４とＨＬＢＥＥＲＳ８のメモリ14b、30bにはそれぞれＭＢＥＳとＨＬＢＥＥＲＳの動作を制御するためのソフトウェアが存在する。それらのソフトウェアはそれぞれＭＢＥＳ（例えばメモリ14b、ディスプレイ14c、生物学的測定読取り装置18、ネットワークインターフェース16等）とＨＬＢＥＥＲＳ８（メモリ30b、ネットワークインターフェース32、データベース38、ディスプレイ34等）の種々のサブシステムの動作を制御する各それぞれのプロセッサ14a、30aにより実行される。このようなソフトウェアはここでの説明に基づいて当業者により容易に生成されることができる。ソフトウェアのさらに詳細な説明は行わない。
【００３１】
ＭＢＥＳ４とＨＬＢＥＥＲＳ８は有線または無線の通信媒体40によってそれらの各ネットワークインターフェース16、32を介してデータを交換することができる。前述したように、通信媒体10は例えばセルラ電話ネットワークのような無線電話通信ネットワーク、またはインターネットおよび／またはイントラネットを使用する通信ネットワーク（範囲が局部的、地域的、国家または世界中のワイヤ接続されたまたは無線の）であることができる。さらに別の実施形態では、通信媒体10は無線の８０２．１１ａ、ｂ、ｇ標準方式に基づいたａｄ−ｈｏｃネットワークである。代わりに、ＭＢＥＳ４とＨＬＢＥＥＲＳ８は広域網（ＷＡＮ）、ランドベースの電話線を介して、例えばモデム、衛星通信リンク、または例えば取外し可能なハードドライブ、ＣＤ−Ｒ、ＤＶＤ±Ｒ等の取外し可能な記憶媒体を介してデータを交換できる。
【００３２】
さらに図４を参照して、本発明の応用を説明する。図４では仮説的な自動車事故50が示されており、事故50に巻き込まれた個人52（例えば運転者、乗客または通行人）は意識不明である。個人52は事故の直ぐ近くの周辺にいる他者には知られておらず、その個人は識別できるものを携帯していない。事故50の現場に到着した診療補助者のような医療関係者54はその個人52を救急車54へ運び、ここで個人は病院へ搬送されて治療を受ける。しかしながら個人52は識別されることができないので、彼の医療記録は検索できない。さらに、個人52が識別されることができても、彼の医療記録の検索には多大な時間を必要とし、治療が必要とされる時間帯を超える可能性が大きい。したがって個人の医歴なしに、個人は最適または迅速な治療を受けることができない。
【００３３】
本発明は従来技術の限定を克服する。特に、ＭＢＥＳ４を使用して、その個人の生物学的測定データ、伝記データおよび／または人口統計データ（即ち識別データ）が事故50の場面で得られる。識別データは例えば虹彩走査、顔面走査、指紋走査、または個人を特有に識別する任意の他の特徴であることができる。このような識別データは個人に意識があるかまたは意識がないかにかかわり無く得られることができる。それが得られると、識別データは通信媒体40を介してＨＬＢＥＥＲＳ８へ通信され、ＨＬＢＥＥＲＳ８は個人52の識別データに一致するデータについてデータベース38を検索する。一致を発見したとき、その個人は肯定的に識別され、彼の対応する医歴はデータベース38から検索される。医歴は治療設備および／または事故現場における適切な医療関係者54（例えば医師、診療補助者等）へ転送され、したがって貴重な情報を医療関係者に提供する。
【００３４】
図５を参照すると、簡単な行と列のフォーマットを使用するデータベース38の例示的な構造が記載されており、各行及び列の交差位置はそれぞれの行及び列に特定のデータを含んでいる。他のデータベース構造が本発明の技術的範囲を逸脱せずに使用されることができることが認識されよう。さらに、単一のデータベース構造が示されているが、データベースは多数のデータベース表、例えば生物学的測定データベース表、伝記データベース表、人口統計データベース表を含むように構成されることができることが当業者により認識されるであろう。
【００３５】
データベース38はＨＬＢＥＥＲＳ８のメモリ30b中に存在し、識別データと医歴データに関する多数の列と、特定の個人に関する多数の行を含んでいる。前述したように、特定の行及び列の交差点に含まれるデータは特定の個人(行)と特定のデータタイプ(列)に関する。データベース38は例えばマイクロソフトＳＱＬデータベースであることができる。
【００３６】
第１の生物学的測定特徴列60は虹彩走査データ、指紋走査データ、顔面走査データ等のような第１の生物学的測定特徴データに関する。当業者に認識されるように、データベース38に記憶されている生物学的測定データのフォーマットは生物学的測定データの記憶に使用される任意の通常のフォーマットであることができる。データベース38は最終的なｎ番目の生物学的測定特徴列64が利用されるまで、第２の生物学的測定特徴データ列62、第３の生物学的測定特徴、第４の生物学的測定特徴等を含むことができる。１実施形態によれば、データベース38は単一の生物学的測定特徴列を含み、別の実施形態では、データベース38は各登録された個人についての複数の生物学的測定特徴列、例えば多数の虹彩、多数の指紋および／または多数の顔面データを含むことができる。
【００３７】
データベースはまた１以上の医歴列66、68、70を含んでいる。各医歴列は個人の医歴および／または個人の特徴に関するデータを含んでいる。
【００３８】
示されていないが、データベース38は他の情報を記憶するための複数の他の列を含むことができる。これらの列は伝記データ、例えば名前、社会保険番号、誕生日、性、近親者等と、システム識別番号、例えばＥ−ヘルス記録番号と、通常の情報、例えば電話番号、住所、保険業者、好んでいる医師の名前と、人口統計データ、例えばＤＮＡシグナチャデータまたは個人を治療および／またはデータベースを維持するのに有用な任意の他の情報を含むことができる。
【００３９】
データベース38はまた特定の個人に関する多数の行72、74、76、78も含んでいる。システム２に登録されている各個人には個人情報の記憶のために単一の行が割当てられている。認識されるように、データベース38中の行数はシステム２に登録されている個人の総数に対応する。
【００４０】
図６の（Ａ）のフローチャート100を参照すると、本発明の１実施形態によりデータベース38を作成するために使用されることのできる識別データを集めるための例示的なステップが示されている。このフロー図は特定の順序で整列されている複数のブロックを含んでいる。認識されるように、図示されているプロセスに対する多くの代替または等価のプロセスが存在することができ、このような代替または等価物は添付の特許請求の範囲に含まれることが意図されている。代替プロセスは特別に述べられていないおよび／または示されていない付加的なステップまたは動作を実行し、特別に述べられているおよび／または示されていることとは異なる順序でステップまたは動作を実行し、および／または述べられているおよび／または示されているステップを省略する動作を含むことができる。代替技術はステップまたは動作を同時にまたは部分的に同時に実行することも含んでいる。
【００４１】
ステップ102で開始して、個人はシステム２に登録される。本発明によれば、登録は個人から識別データを集め、集められた識別データをそれぞれの個人と関連付けるプロセスである。生物学的測定データは虹彩データ、指紋データ、顔面データ等であることができる。登録プロセスは個人が横になること、立ち上がること、または座ることにより行われることができる。さらにＭＢＥＳ４が可搬性があるために、登録はほぼどこでも行われることができる。さらに人の名前、誕生日、識別番号（社会保険番号）等のような伝記データと人口統計データは登録プロセス期間中（または後に）集められ、個人に関連付けされることもできる。集められたデータは最初にＭＢＥＳ４に記憶され、後にＨＬＢＥＥＲＳ８に転送される。
【００４２】
登録は一度座ることで行われることができるが、登録は進行中のプロセスであると考えられることに注意する。例えば子供および若い大人の顔面特性は短期間で非常に変化する可能性がある。したがって顔面特性を使用する生物学的測定は正確な顔面データを確実にするために周期的に更新されるべきである。
【００４３】
本発明は人間を識別し、誕生から死亡までのその全てのライフサイクルの進行において追跡する。例えば個人は伝記データ及び人口統計データを使用して誕生時に登録されることができる。１乃至２歳で、個人はさらに虹彩および指紋データを使用して登録されることができる。大人は生物学的測定、伝記及び人口統計データを使用して登録されることができる。死亡後、個人は例えば虹彩、指紋および／またはＤＮＡデータを使用して識別されることができる。
【００４４】
登録プロセス中、オペレータからの命令に基づいてＭＢＥＳ４のプロセッサ14aは適切な生物学的測定読取装置20、22、24に生物学的測定データを集めるように命令する。それぞれの生物学的測定読取装置は走査を行い、それによって生物学的測定データを集める。生物学的測定の走査の完了後、生物学的測定読取装置は生物学的測定データをプロセッサ14aへ通信し、これはデータをメモリ14bへ記憶し、データはそれぞれの個人に関連付けされる。
【００４５】
例えば、ＭＢＥＳオペレータはＭＢＥＳ４の「検索及び登録」特性を選択する。「検索及び登録」の開始により、最初に個人の左手の人差し指を指紋スキャナ22上に置かせるようにオペレータに命令するスクリーンが立ち上がる。スクリーンはその後その個人の右手の人差し指を指紋スキャナ22に置かせるようにオペレータに命令する。品質解析は指紋の画像が十分な品質であることを確実にするために走査された指紋データについて行われる。ＭＢＥＳ４はその後、虹彩スキャナ20を使用して個人の虹彩走査を行うようにオペレータを促す。オペレータは個人の左目の正面に虹彩スキャナ20を位置させ、走査を行い、その後オペレータは個人の右目の正面に虹彩スキャナ20を置き、走査を行う。虹彩走査が十分な品質であることを確実にするために品質解析が虹彩走査について行われる。ＭＢＥＳ４はその後、カメラ24をオンに切換え、ユーザに個人の写真を撮影させる。
【００４６】
写真の撮影後、オペレータは非生物学的測定データ（例えば伝記データ、人口統計データ）の入力のためにエントリスクリーンに戻る。ユーザはその後個人の伝記データ、例えば名前、誕生日、年齢等および／または人口統計データを入力する。ＭＢＥＳ４は生物学的測定、伝記、人口統計データをそれぞれの個人と関連付ける。
【００４７】
ＤＮＡデータに関して、例えば血液のサンプル、髪の毛のサンプル等のサンプルが個人から得られ、ＤＮＡ抽出80は図７に示されているように研究所環境で行われる。ＤＮＡ解析装置82はデジタルＤＮＡ指紋を発生し、これはその後ＭＢＥＳ４へ入力され、それぞれの個人と関連付けされる。
【００４８】
識別データの獲得が終了すると、提出ボタンが押される（例えばディスプレイ14c上のソフトボタン）。提出ボタンはＭＢＥＳ４からＨＬＢＥＥＲＳ８へのデータ送信を開始する。認識されるように、全ての識別データおよび個人の医歴は個人が最初に登録されるときにはＭＢＥＳ４に入力される必要はない。代わりに、幾つかのデータが集められ、後にデータベース38に入力されることができる。しかしながら、少なくとも１つのタイプの識別データは個人の登録に必要とされる。
【００４９】
個人が登録されると、データは将来一致するためにＨＬＢＥＥＲＳ８へ通信される。前述したように、データは有線または無線通信媒体40、例えばセルラ電話ネットワーク、インターネット等を介してＭＢＥＳ４とＨＬＢＥＥＲＳ８の間で交換されることができる。代わりに、ＭＢＥＳ４に記憶されているデータは取出し可能な記憶媒体、例えばＣＤ、ＤＶＤ、フロッピーディスク等を介してＨＬＢＥＥＲＳ８へ転送されることができる。
【００５０】
データをＨＬＢＥＥＲＳ８へ通信するために、ＭＢＥＳ４のプロセッサ14aはデータをメモリ14bから検索し、そのデータをネットワークインターフェース16の送信バッファ（図示せず）へ提供する。プロセッサ14aはその後、ネットワークインターフェース16に通信媒体40を介してデータを送信バッファからＨＬＢＥＥＲＳ８へ送信するように命令する。ＨＬＢＥＥＲＳ８のネットワークインターフェース32はデータを受信し、そのデータを受信バッファ（図示せず）に記憶する。ＨＬＢＥＥＲＳ８のプロセッサ30aはデータをネットワークインターフェース32からメモリ30bへ移動させる。データはその後以下説明するように、データの記憶及び検索のためにデータベース38に記憶される。
【００５１】
通信媒体10が取外し可能な記憶媒体であるならば、プロセッサ14aは記憶装置（例えばＤＶＤドライブ、ＣＤドライブ、フロッピードライブ−図示せず）にデータを記憶装置（例えばＤＶＤ±Ｒディスク、ＣＤ−Ｒディスク、フロッピーディスク）へ書き込むように命令する。データが媒体に書き込まれると、媒体はＭＢＥＳ４から取外され、ＨＬＢＥＥＲＳ８の記憶装置（例えばＤＶＤドライブ、ＣＤドライブ、フロッピードライブ−図示せず）中に置かれる。ＨＬＢＥＥＲＳ８のプロセッサ30aは記憶装置に記憶媒体からデータを読み取るように命令し、記憶及び将来の検索のために読取られたデータをデータベース38へ記憶する。
【００５２】
ステップ104へ進むと、新しく登録された個人に特定の医歴が形成される。認識されるように、医歴は例えば病院記録、医師の記録等の個人の医学記録から形成されることができる。個人の医歴を形成するとき、医歴データはステップ106でデータベース38に入力される。
【００５３】
特に、先に集められた識別データはそれぞれの識別列（例えば生物学的測定列60、62、64）とそれぞれの個人の行72、74、76、78に対応してデータベース38に入力される。さらに個人の医歴データはそれぞれの医歴列66、68、70とそれぞれの個人の行72、74、76、78に対応してデータベース38に入力される。このようにして、識別データは医歴データと関連付けられ、それによって特定の識別データの一致を検索し、それを発見するとき、識別データに関連付けされる医歴データが検索されることができる。認識されるように、医歴データはＨＬＢＥＥＲＳ８を介してデータベース38へ直接入力されるか、ＭＢＥＳ４または別々のワークステーション（図示せず）へ入力され、後にＨＬＢＥＥＲＳ８に存在するデータベース38へ転送されることができる。
【００５４】
次にステップ108で、別の個人がシステム２に登録されるか否かが決定される。別の個人が登録されるならば、プロセッサ14aはステップ102に戻り、ステップ102−106が新しい個人について反復される。他方で、別の個人が登録されていないならば、ステップ110でデータベース38が維持される。データベース38のメンテナンスは各個人の医歴を更新すること（例えば記録されたかおよび／または得られたとき新しいデータをデータベース38に付加すること）と、古い記録をデータベースから消去すること（例えば亡くなった個人の記録を除去すること）を含んでいる。最適の結果を実現するため、データベース38のメンテナンスは進行中のプロセスであるべきである。
【００５５】
図６の（Ｂ）のフローチャート120を参照すると、本発明の１実施形態により個人の医歴をデータベース38から検索する例示的なステップが示されている。ステップ122で開始して、ＭＢＥＳ４は例えば事故50の現場において医歴を模索中の個人52の位置へ運ばれる。次にステップ124で、個人52の識別データが得られる。識別データはそれぞれの生物学的測定読取装置20、22、24を使用して１以上の虹彩走査、指紋走査および／または顔面走査からの得られたものである。認識されるように、他のタイプの生物学的測定走査は本発明の技術的範囲を逸脱せずに行われることができる。また伝記および／または人口統計データはＭＢＥＳ４へ入力されることができる。
【００５６】
例えば、オペレータは個人の左手の人差し指を指紋スキャナ22へ置き、逐次的または連続的に虹彩スキャナ20を個人の左目の正面に置く。オペレータはその後、ＭＢＥＳ４に生物学的測定走査、例えば虹彩走査と指紋走査を行うように命令する。その命令に基づいて、プロセッサ14aは通信リンク26を介して虹彩スキャナ20と指紋スキャナ22に走査動作を行うように命令する。虹彩スキャナ20と指紋スキャナ22はそれぞれの走査を行い、通信リンク26を介して生物学的測定データをＭＢＥＳ４のプロセッサ14aへ送信する。プロセッサ14aはそのデータを受信し、一時的にその生物学的測定データをメモリ14bに記憶する。
【００５７】
伝記データはＩ／Ｏ装置14dを介して手作業でデータをＭＢＥＳ４へタイプ入力することにより、または記憶媒体（例えばＤＶＤディスク、ＣＤディスク、フロッピーディスク）からデータを読取ることによりＭＢＥＳ４へ入力されることができる。さらに、伝記データは指紋スキャナ22のバーコード読取能力を使用してＭＢＥＳ４へ走査されることができる。例えば個人の保険証は保険業者の特定の識別番号を示すバーコードデータを含むことができる。この識別番号に基づいて、ＭＢＥＳ４はネットワークインターフェース16を介してさらに個人の伝記および／または人口学的データを含んでいる安全なウェブサイトをアクセスすることができる。ＭＢＥＳ４はその後このデータをダウンロードし、データをそれぞれの個人に関連付けることができる。
【００５８】
ＤＮＡデータに関して、登録プロセス期間中に行われたように、例えば血液のサンプル、髪の毛のサンプル等のサンプルが個人から得られる。ＤＮＡ抽出80は研究所環境でサンプルについて行われ、ＤＮＡ解析装置82は個人のデジタルＤＮＡ指紋を生成する。ＤＮＡ指紋はその後ＭＢＥＳ４へ入力される。
【００５９】
次にステップ126で、この得られた識別データはＭＢＥＳ４からＨＬＢＥＥＲＳ８へ転送される。１実施形態にしたがって、プロセッサ14aはデータをメモリ14bから検索し、そのデータをネットワークインターフェース36の送信バッファに記憶する。プロセッサ14aはその後通信媒体40を介してデータを送信バッファからＨＬＢＥＥＲＳ８へ送信するように命令する。ＨＬＢＥＥＲＳ８のネットワークインターフェース32はデータを通信媒体10から受信し、そのデータを受信バッファ中に記憶する。ＨＬＢＥＥＲＳ８のプロセッサ30aはデータを受信バッファから移動し、一時的にデータをメモリ30bに記憶する。別の実施形態ではＭＢＥＳ４のプロセッサ14aは記憶装置（例えばはードドライブ、光ドライブ等）にデータを記憶媒体（例えばＣＤ−Ｒ、ＤＶＤ−Ｒ、磁気ディスク等）へ書き込むように命令する。記憶媒体はその後、ＭＢＥＳ４から取外され、ＨＬＢＥＥＲＳ８へ転送され、ＨＬＢＥＥＲＳ８のプロセッサ30aは対応する記憶装置に記憶媒体からデータを読取るように命令し、プロセッサ30aは読取られたデータを一時的にメモリ30bに記憶する。
【００６０】
ステップ128で、プロセッサ30aはデータベース38の検索を行う。特にプロセッサ30aはメモリ30bに一時的に記憶された識別データと一致するデータをデータベース38中で検索する。ステップ130で示されているように、一致が発見されると、プロセッサ30aはステップ132へ進み、一致された識別データに対応する医歴データをデータベース38から検索する。しかしながら一致が発見されないならば、ステップ134でプロセッサ30aはデータの一致が発見されることができないことを示すメッセージを発生する。次にステップ136で、プロセッサ30aはネットワークインターフェース36に通信媒体40を介して医歴（又はメッセイー字）をＭＢＥＳ４へ送信するように命令する。ＭＢＥＳ４はネットワークインターフェース16を介してデータを受信し、ＭＢＥＳ４のプロセッサ14aは一時的にデータをメモリ14b中に記憶する。プロセッサはその後、医療関係者により観察されるためにディスプレイ14cへデータを出力する。
【００６１】
さらに、異なる生物学的測定データは識別プロセスの正確性を改良するために「融合」されることができる。この用語「融合」はここでは、データベースの検索を行うために多数のタイプの生物学的測定データを使用することを意味している。例えば識別プロセスは多数の異なる生物学的測定データ、例えば虹彩生物学的測定データと指紋生物学的測定データに基づくことができる。多数の生物学的測定データについてデータベースで一致を発見することは識別プロセスの正確性を増加する。したがって、詐欺師が識別プロセスを「だます」又は欺く可能性は最小にされる。
【００６２】
したがって、本発明は個人の識別および個人の医歴の検索を容易にする。さらに、医歴は個人の身元が知られないときにも検索されることができ、それによって個人が最適な診断と治療を受ける確率が増加する。
【００６３】
本発明をある好ましい幾つかの実施形態に関して示し説明したが、この明細書及び添付図面を読み理解して、等価物、変更、変形が当業者により行われることは明白である。特に前述の素子（コンポーネント、アセンブリ、装置、構成等）により行われる種々の機能に関して、このような素子の説明に使用される用語（「手段」の基準を含む）は他に示されていなくても、ここで示した例示的な実施形態または本発明の実施形態の機能を行う開示された構造に対して構造的に等価ではなくても、説明された素子（即ち機能的に等価物）の特定化された機能を行う任意の素子に対応することを意図している。さらに、本発明の特別な特性を１以上の幾つかの示された実施形態に関してのみ前述したが、このような特性は任意の与えられたまたは特別な応用で所望であり有効であるように、他の実施形態の１以上の他の特性と組み合わせられることができる。
【図面の簡単な説明】
【００６４】
【図１】本発明によるシステムの構成を示す概略図。
【図２】本発明の１実施形態によるフロントエンド生物学的測定局とバックエンドデータベース管理装置を示す簡略図。
【図３】本発明の１実施形態によるフロントエンド生物学的測定局の側面概略図と、上面概略図。
【図４】本発明の例示的な応用を示す概略図。
【図５】本発明の１実施形態による例示的なデータベース構造を示すブロック図。
【図６】本発明の１実施形態によりシステムの設定を示すフロー図と、医療情報の検索を示すフロー図。
【図７】本発明の１実施形態により獲得されシステムに入力されるＤＮＡシグナチャデータを示す概略図。
【図１】
2008547091.tif 000003
【図２】
2008547091.tif 000004
【図３】
2008547091.tif 000005
【図４】
2008547091.tif 000006
【図５】
2008547091.tif 000007
【図６】
2008547091.tif 000008
【図７】
2008547091.tif 000009
【国際調査報告】
2008547091.tif 000010